(57)【要約】【課題】吸着エリアにおいてロータに付着したホコリ等の汚れにより性能が低下することを抑制可能な加湿装置を提供する。【解決手段】加湿装置６０は、加湿ヒータ、加湿ロータ６３、加湿ファン、及び流路切換機構１４０を備える。加湿ロータは、吸着エリア６３ａ及び脱着エリア６３ｂを周回し、吸着エリアにおいて空気から水分を吸着し、脱着エリアにおいて加湿ヒータの熱によって水分を脱着する。加湿ファンは、脱着エリアにおいて加湿ロータから脱着された水分を含む空気を送風する。流路切換機構１４０は、加湿ファンの送風方向における下流側に配置され、加湿ファンから送風される空気の流れ状態を、少なくとも、第１状態と、第２状態と、の間で切り換える。第１状態では、加湿ファンから送風される空気が加湿対象空間へと流れる。第２状態では、加湿ファンから送風される空気が吸着エリアへと流れる。【選択図】図６
2018087650.tif 000002
【特許請求の範囲】
【請求項１】
ヒータ（７１）と、
吸着エリア（６３ａ）及び脱着エリア（６３ｂ）を周回し、前記吸着エリアにおいて空気から水分を吸着し、前記脱着エリアにおいて前記ヒータの熱によって水分を脱着するロータ（６３）と、
前記脱着エリアにおいて前記ロータから脱着された水分を含む空気を送風するファン（７５）と、
前記ファンの送風方向における下流側に配置され、前記ファンから送風される空気の流れ状態を、少なくとも、前記ファンから送風される空気が加湿対象空間へと流れる第１状態と、前記ファンから送風される空気が前記吸着エリアへと流れる第２状態との間で切り換える流路切換機構（１４０）と、
を備えた、加湿装置（６０）。
【請求項２】
加湿運転中に前記吸着エリアにおいて前記ロータが空気から水分を吸着する際、前記吸着エリアにおいて、吸着空気流れが前記ロータを貫通して流れ、
前記第２状態において、前記ファンから送風される空気は、前記吸着空気流れの流れ方向における前記ロータより下流側に供給される、
請求項１に記載の加湿装置。
【請求項３】
加湿運転時以外の所定期間に、前記吸着エリアにおいて、前記吸着空気流れと同一方向に前記ロータを貫通して空気が流れる、
請求項２に記載の加湿装置。
【請求項４】
加湿運転の開始前に、前記ファンが運転され、前記流路切換機構が前記ファンから送風される空気の流れ状態を前記第２状態に切り換える、
請求項１から３のいずれか１項に記載の加湿装置。
【請求項５】
前記加湿装置は、空調機（１０）の、室外ファン（３９）及び熱交換器（３３）を有する室外ユニット（３０）に搭載され、前記室外ファンが運転されると、加湿運転中か否かに係わらず、前記吸着エリアにおいて、前記ロータを貫通して空気が流れ、
前記室外ファンの停止後に、前記ファンが運転され、前記流路切換機構が前記ファンから送風される空気の流れ状態を前記第２状態に切り換える、
請求項１から４のいずれか１項に記載の加湿装置。
【請求項６】
前記流路切換機構が前記ファンから送風される空気の流れ状態を前記第２状態に切り換える時に、前記ロータは前記吸着エリア及び前記脱着エリアを周回する、
請求項１から５のいずれか１項に記載の加湿装置。
【発明の詳細な説明】
【技術分野】
【０００１】
本発明は、加湿装置に関する。特に、本発明は、吸着エリア及び脱着エリアを周回し、吸着エリアにおいて空気から水分を吸着し、脱着エリアにおいて水分を脱着するロータを備えた加湿装置に関する。
【背景技術】
【０００２】
従来、加湿対象空間を加湿するための加湿装置が知られている。
【０００３】
例えば、引用文献１（特開２０１６−１１８３１２号公報）には、空調機の室外ユニットに搭載される加湿装置が開示されている。引用文献１（特開２０１６−１１８３１２号公報）の加湿装置では、ロータが、吸着エリア及び脱着エリアを周回し、吸着エリアにおいて空気から水分を吸着し、脱着エリアにおいて水分を脱着する。
【発明の概要】
【発明が解決しようとする課題】
【０００４】
このような加湿装置では、外気中のホコリ等の汚れが吸着エリアにおいてロータに付着し、加湿装置の効率が低下するおそれがある。
【０００５】
本発明の課題は、吸着エリアにおいてロータに付着したホコリ等の汚れにより性能が低下することを抑制可能な加湿装置を提供することにある。
【課題を解決するための手段】
【０００６】
本発明の第１観点に係る加湿装置は、ヒータと、ロータと、ファンと、流路切換機構と、を備える。ロータは、吸着エリア及び脱着エリアを周回する。ロータは、吸着エリアにおいて空気から水分を吸着し、脱着エリアにおいてヒータの熱によって水分を脱着する。ファンは、脱着エリアにおいてロータから脱着された水分を含む空気を送風する。流路切換機構は、ファンの送風方向における下流側に配置され、ファンから送風される空気の流れ状態を、少なくとも、第１状態と、第２状態と、の間で切り換える。第１状態では、ファンから送風される空気が加湿対象空間へと流れる。第２状態では、ファンから送風される空気が吸着エリアへと流れる。
【０００７】
本発明の第１観点に係る加湿装置では、水分を含む空気を加湿対象空間へと送るために用いられるファンが発生させる気流を、ロータの吸着エリアに送ることができる。そのため、吸着エリアにおいてロータに付着したホコリ等の汚れ（付着物）を、加湿用のファンの気流を利用して除去することができ、加湿装置の効率低下を抑制可能である。
【０００８】
本発明の第２観点に係る加湿装置は、第１観点の加湿装置であって、加湿運転中に吸着エリアにおいてロータが空気から水分を吸着する際、吸着エリアにおいて、吸着空気流れがロータを貫通して流れる。第２状態において、ファンから送風される空気は、吸着空気流れの流れ方向におけるロータより下流側に供給される。
【０００９】
本発明の第２観点に係る加湿装置では、吸着エリアにおいて、吸着空気流れ（加湿運転中に吸着エリアにおいてロータを流れる空気の流れ）とは反対向きの空気の流れを生じさせることができる。そのため、加湿運転中にロータに付着したホコリ等の汚れをロータから除去することが容易である。
【００１０】
本発明の第３観点に係る加湿装置は、第２観点の加湿装置であって、加湿運転時以外の所定期間に、吸着エリアにおいて、吸着空気流れと同一方向にロータを貫通して空気が流れる。
【００１１】
本発明の第３観点に係る加湿装置では、吸着エリアにおいて、加湿運転中以外にも加湿運転中と同一方向にロータを貫通して空気が流れるため、ロータにホコリ等の汚れが付着しやすい。しかし、ここでは、加湿用のファンの気流を利用してロータに付着したホコリ等の汚れ除去することができるため、加湿装置の効率低下を抑制することができる。
【００１２】
本発明の第４観点に係る加湿装置は、第１観点から第３観点のいずれかの加湿装置であって、加湿運転の開始前に、ファンが運転され、流路切換機構がファンから送風される空気の流れ状態を第２状態に切り換える。
【００１３】
なお、ここで、加湿運転の開始前にファンが運転されるとは、既にファンが運転されている時に、この状態を維持する場合を含む。また、ここで、加湿運転の開始前に流路切換機構がファンから送風される空気の流れ状態を第２状態に切り換えるとは、既にファンから送風される空気の流れ状態が第２状態に切り換えられている時に、この状態を維持する場合を含む。
【００１４】
本発明の第４観点に係る加湿装置では、加湿運転の開始前にロータに付着したホコリ等の汚れを加湿用のファンの気流を利用して除去できる。そのため、加湿装置を効率よく運転することが容易である。
【００１５】
本発明の第５観点に係る加湿装置は、第１観点から第４観点のいずれかの加湿装置であって、加湿装置は、空調機の室外ユニットに搭載される。室外ユニットは、室外ファン及び熱交換器を有する。室外ファンが運転されると、加湿運転中か否かに係わらず、吸着エリアにおいて、ロータを貫通して空気が流れる。室外ファンの停止後に、ファンが運転され、流路切換機構がファンから送風される空気の流れ状態を第２状態に切り換える。
【００１６】
なお、ここで、室外ファンの停止後にファンが運転されるとは、既にファンが運転されている時に、この状態を維持する場合を含む。また、ここで、室外ファンの停止後に流路切換機構がファンから送風される空気の流れ状態を第２状態に切り換えるとは、既にファンから送風される空気の流れ状態が第２状態に切り換えられている時に、この状態を維持する場合を含む。
【００１７】
本発明の第５観点に係る加湿装置では、吸着エリアにおいてロータにホコリ等の汚れが付着するおそれのある状況が発生した後に、加湿用のファンの気流を利用してロータに付着したホコリ等の汚れを除去できる。そのため、加湿装置を効率よく運転することが容易である。
【００１８】
本発明の第６観点に係る加湿装置は、第１観点から第５観点のいずれかの加湿装置であって、流路切換機構がファンから送風される空気の流れ状態を第２状態に切り換える時に、ロータは吸着エリア及び脱着エリアを周回する。
【００１９】
本発明の第６観点に係る加湿装置では、ロータが周回している状態でファンから吸着エリアに空気が流れるため、ロータに付着しているホコリ等の汚れを取り残し無く除去することが容易である。
【発明の効果】
【００２０】
本発明の第１観点に係る加湿装置では、水分を含む空気を加湿対象空間へと送るために用いられるファンが発生させる気流を、ロータの吸着エリアへと送ることができる。そのため、吸着エリアにおいてロータに付着したホコリ等の汚れを、加湿用のファンの気流を利用して除去することができ、加湿装置の効率低下を抑制可能である。
【００２１】
本発明の第２観点に係る加湿装置では、吸着エリアにおいて、吸着空気流れとは反対向きの空気の流れを生じさせることができるため、加湿運転中にロータに付着したホコリ等の汚れをロータから除去することが容易である。
【００２２】
本発明の第３観点に係る加湿装置では、ロータにホコリ等の汚れが付着しやすい条件であっても、加湿装置の効率低下を抑制することが容易である。
【００２３】
本発明の第４観点及び第５観点に係る加湿装置では、加湿装置の効率低下を抑制することが容易である。
【００２４】
本発明の第６観点に係る加湿装置では、ロータに付着しているホコリ等の汚れを取り残し無く除去することが容易である。
【図面の簡単な説明】
【００２５】
【図１】本発明の一実施形態に係る加湿装置が搭載された室外ユニットを有する空調機の概略構成図である。
【図２】図１の空調機の室外ユニットの概略平面図である。天板が取り外された状態の室外ユニットが描画されている。
【図３】図１の空調機の室外ユニットの概略正面図である。前板から防護用グリルが取り外された状態の室外ユニットが描画されている。
【図４】図１の加湿装置の加湿ロータと、加湿運転時に加湿ロータを通過する空気の流れを示す概略斜視図である。
【図５】図１の加湿装置の概略斜視図である。加湿ヒータが取り外された状態の加湿装置が描画されている。
【図６】図１の加湿装置が有するホコリ除去用経路の空気の吹出しについて説明するための、加湿装置の概略斜視図である。加湿ヒータ及び吸着用ダクトが取り外された状態の加湿装置が描画されている。
【図７】図１の空調機の室外ユニットのブロック図である。
【図８】図１の加湿装置が行うホコリ除去処理について説明するフローチャートである。加湿装置が加湿運転を実行しない状態で図１の空調機が運転される際の処理の流れを示している。
【図９】図１の加湿装置が行うホコリ除去処理について説明するフローチャートである。加湿装置が加湿運転を実行している状態で図１の空調機が運転される際の処理の流れを示している。
【発明を実施するための形態】
【００２６】
図面を参照しながら、本発明の一実施形態に係る加湿装置６０について以下に説明する。なお、以下の実施形態は、本発明の具体例であって、本発明の技術的範囲を限定するものではない。
【００２７】
（１）加湿装置及び加湿装置が搭載される空調機の全体構成
本発明の一実施形態に係る加湿装置６０は、空調機１０に搭載される（図１参照）。後述するように、加湿装置６０は、空調機１０の室外ユニット３０に搭載され（図１参照）、室外ユニット３０の室外側制御部５１（図７参照）により、その動作が制御される。加湿装置６０は、空調機１０の一部であるかのように動作する。
【００２８】
加湿装置６０が搭載される空調機１０は、空調対象空間である室内の冷房を行う冷房運転と、空調対象空間である室内の暖房を行う暖房運転とを実行可能に構成されている。空調機１０は、他の運転モード、例えば除湿運転や送風運転を実行可能に構成されていてもよい。空調機１０の運転内容は、例えば空調機１０のユーザが操作するリモコン（図示せず）からの指令や、空調対象空間の温度等に基づいて決定される。
【００２９】
加湿装置６０は、後述する加湿ロータ６３により室外空気中の水分を吸着し、吸着した水分を脱着して加湿対象空間に供給する加湿運転を実行可能に構成されている。なお、加湿対象空間は、空調機１０の空調対象空間と同一の空間である。ここでは、加湿装置６０は、空調機１０が暖房運転中である時にのみ加湿運転を実行可能に構成されている。ただし、加湿装置６０は、空調機１０が暖房運転を実行している時以外にも、加湿運転を実行可能に構成されてもよい。
【００３０】
なお、空調機１０は、加湿装置６０が加湿運転を実行しているか、加湿装置６０が加湿運転を停止しているかに係わらず、冷房運転及び暖房運転を実行できる。
【００３１】
加湿装置６０が加湿運転を行うか否かは、例えば加湿装置６０を搭載した空調機１０のユーザが操作するリモコン（図示せず）からの指令や、加湿対象空間の湿度等に基づいて決定される。
【００３２】
空調機１０は、主に、室内ユニット２０及び室外ユニット３０を有する（図１参照）。室内ユニット２０と室外ユニット３０とが液冷媒連絡配管１４及びガス冷媒連絡配管１６によって接続されることで、冷媒回路９０が構成される（図１参照）。冷媒は、室内ユニット２０と室外ユニット３０との間を、液冷媒連絡配管１４及びガス冷媒連絡配管１６を介して移動し、冷媒回路９０内を循環する。冷媒回路９０は、後述する室外ユニット３０の圧縮機３１、四路切換弁３２、室外熱交換器３３、電動膨張弁３４及びアキュムレータ３６や、室外ユニット３０の室内熱交換器２１を主に有する（図１参照）。冷媒回路９０内を冷媒が循環すると、空調機１０において蒸気圧縮式冷凍サイクルが行われる。なお、限定するものではないが、冷媒の種類は例えばＨＦＣ冷媒のＲ３２である。
【００３３】
室外ユニット３０には、加湿装置６０が搭載されている。室外ユニット３０と室内ユニット２０との間には、給気ホース１８を介した空気の移動がある（図１参照）。給気ホース１８は、加湿装置６０の加湿運転中に、室外の空気を加湿対象空間に供給するための空気の流路である。加湿運転時には、水分を多く含んだ湿度の高い空気が、室外ユニット３０側（加湿装置６０）から、給気ホース１８を介して室内ユニット２０へと供給される。
【００３４】
（２）空調機の詳細構成
以下に、加湿装置６０が搭載された空調機１０の詳細構成について、室内ユニット２０及び室外ユニット３０に分けて以下に説明する。
【００３５】
なお、上述のように、本実施形態では、加湿装置６０は、空調機１０の一部であるかのように動作する。そこで、ここでは、空調機１０の室外ユニット３０に関する説明の中で、加湿装置６０についても合わせて説明する。
【００３６】
（２−１）室内ユニット
室内ユニット２０は、図１に示すように、主に、室内熱交換器２１と、室内ファン２２と、を有する。
【００３７】
室内熱交換器２１は、限定するものではないが、例えば、伝熱管と伝熱フィンとにより構成されたクロスフィン式のフィン・アンド・チューブ型熱交換器である。室内熱交換器２１の液側は、液冷媒連絡配管１４に接続される（図１参照）。室内熱交換器２１のガス側は、ガス冷媒連絡配管１６に接続される（図１参照）。室内熱交換器２１では、室内空気と伝熱管を流れる冷媒との間で熱交換が行われる。室内熱交換器２１は、冷房運転時には蒸発器（吸熱器）として機能して室内空気を冷却する。室内熱交換器２１は、暖房運転時には凝縮器（放熱器）として機能して室内空気を加熱する。
【００３８】
室内ファン２２は、図示しないファンモータにより駆動され、室内空気を取り込んで室内熱交換器２１へと送風し、室内熱交換器２１における冷媒と室内空気との熱交換を促進する。室内ファン２２は、限定するものではないが、例えばクロスフローファンである。室内ファン２２は、室内ファン２２の運転時の空気の流れ方向において、室内熱交換器２１より下流側に配置される。室内ファン２２が駆動されると、室内ユニット２０の上部の吸込口から室内空気が吸い込まれ、室内熱交換器２１を通過し、室内ユニット２０の下部の吹出口から吹き出される。
【００３９】
室内ユニット２０は、給気ホース１８を介して室外ユニット３０と接続されている（図１参照）。給気ホース１８の給気口２５は、室内ファン２２の運転時の空気の流れ方向における、室内熱交換器２１の上流側空間に配置されている。給気ホース１８の、給気口２５とは反対側の他端側は、後述する加湿装置６０の流路切換機構１４０に接続されている。加湿装置６０が加湿運転を実行している時には、加湿装置６０から送られてくる湿度の高い空気が、給気口２５から室内熱交換器２１の上流側空間に供給される。給気口２５から湿度の高い空気が供給されている状態で室内ファン２２が駆動されると、室内ユニット２０から室内に湿度の高い空気が吹き出される。
【００４０】
（２−２）室外ユニット
以下に、図１から図７を参照しながら室外ユニット３０について説明する。室外ユニット３０の説明には、加湿装置６０の説明を含む。
【００４１】
なお、図２は、後述するケーシング４０の天板４８が取り外された室外ユニット３０の概略平面図である。図３は、後述する防護用グリル５６が取り外された室外ユニット３０の概略正面図である。図４は、後述する加湿装置６０の加湿ロータ６３と、加湿運転時に加湿ロータ６３を通過する空気の流れを示す概略斜視図である。図５は、後述する加湿ヒータ７１が取り外された状態の加湿装置６０の概略斜視図である。図６は、加湿装置６０が有するホコリ除去用経路１００の空気の吹出しについて説明するための、加湿装置６０の概略斜視図である。図７は、空調機１０の室外ユニット３０のブロック図である。
【００４２】
以下の説明では「上」、「下」、「左」、「右」、「前（正面）」、「後（背面）」等の表現を用いて配置や向きを説明する場合があるが、特記無き場合、これらの表現は図２、図３、図６中に示した矢印に従う。
【００４３】
室外ユニット３０は、主に、ケーシング４０、圧縮機３１、四路切換弁３２、室外熱交換器３３、電動膨張弁３４、アキュムレータ３６、室外ファン３９、液側閉鎖弁３７、ガス側閉鎖弁３８、及び電装品ユニット５０を有する（図１〜図３参照）。また、室外ユニット３０には、加湿装置６０が搭載されている（図１参照）。
【００４４】
圧縮機３１、四路切換弁３２、室外熱交換器３３、電動膨張弁３４、アキュムレータ３６、液側閉鎖弁３７、及びガス側閉鎖弁３８は、冷媒配管により接続されている。具体的には、圧縮機３１の吸入口と、四路切換弁３２とは、吸入管９１によって接続されている。吸入管９１には、アキュムレータ３６が設けられる。圧縮機３１の吐出口と、四路切換弁３２とは、吐出管９２によって接続されている。四路切換弁３２と、室外熱交換器３３のガス側とは、第１ガス冷媒管９３によって接続されている。室外熱交換器３３と、液冷媒連絡配管１４に接続される液側閉鎖弁３７とは、液冷媒管９４によって接続されている。液冷媒管９４には、電動膨張弁３４が設けられている。四路切換弁３２と、ガス冷媒連絡配管１６に接続されるガス側閉鎖弁３８とは、第２ガス冷媒管９５によって接続されている。
【００４５】
（２−２−１）ケーシング
ケーシング４０は、圧縮機３１、四路切換弁３２、室外熱交換器３３、電動膨張弁３４、アキュムレータ３６、室外ファン３９等の室外ユニット３０の各種構成や、加湿装置６０を収容する筐体である。
【００４６】
ケーシング４０は、左側板４５、前板４６、右側板４７、天板４８、底板４９、背面部４４、及び仕切板４３を主に有する（図２及び図３参照）。
【００４７】
ケーシング４０の内部は、仕切板４３により送風機室４１と機械室４２とに分けられている（図１及び図２参照）。送風機室４１には、主に、室外熱交換器３３及び室外ファン３９が配置されている。機械室４２には、主に、圧縮機３１、四路切換弁３２、電動膨張弁３４、及びアキュムレータ３６が配置されている。加湿装置６０は、送風機室４１及び機械室４２に跨って配置されている。つまり、加湿装置６０は、一部は送風機室４１に、一部は機械室４２に配置されている。
【００４８】
仕切板４３は、天板４８側から底板４９側に向って延びている。また、仕切板４３は、前板４６の内面側から室外熱交換器３３の右端に向かって曲線状に延びている（図２参照）。仕切板４３は、送風機室４１から機械室４２に風が流れ込まないように遮蔽する。
【００４９】
前板４６には、左側下部に円形の吹出口４６ａが形成されている（図３参照）。吹出口４６ａには、その周縁に沿うようにリング状のベルマウス５２が取り付けられている（図３参照）。室外ファン３９が駆動されると、室外空気が室外熱交換器３３の背面側及び左側面側から吸い込まれ、室外熱交換器３３を通過し、吹出口４６ａから吹き出される。ケーシング４０の前板４６には、後述する室外ファン３９のプロペラ３９ｂに対する外部からの接触を防止するため防護用グリル５６が取り付けられている（図２参照）。防護用グリル５６は、吹出口４６ａを覆っている。防護用グリル５６には、空気を吹き出すための複数の開口部が形成されている。
【００５０】
また、前板４６には、後述する加湿装置６０の加湿ロータ６３に室外空気を供給するための吸込開口４６ｂが形成されている（図３参照）。吸込開口４６ｂは、前板４６の吹出口４６ａの右斜め上側に設けられている。吸込開口４６ｂは、扇形状に形成された開口である。吸込開口４６ｂは、中心角が約２４０°の扇形状に形成された開口である。なお、吸込開口４６ｂの形状は一例であって、ここで示した形状に限定されるものではない。
【００５１】
（２−２−２）圧縮機
圧縮機３１は、機械室４２内に配置され、底板４９に固定されている。
【００５２】
圧縮機３１は、モータ（図示せず）により圧縮機構（図示せず）を駆動して、冷媒を圧縮する。圧縮機３１は、例えばロータリ圧縮機である。ただし、圧縮機３１の種類は、ロータリ圧縮機に限定されるものではなく、スクロール圧縮機等、他のタイプの圧縮機であってもよい。圧縮機３１は、好ましくは周波数可変のインバータ駆動の圧縮機である。圧縮機３１は、吸入管９１から冷媒を吸入し、図示しない圧縮機構により圧縮された高温、高圧のガス冷媒を吐出管９２に吐出する。
【００５３】
（２−２−３）四路切換弁
四路切換弁３２は、機械室４２内に配置される。
【００５４】
四路切換弁３２は、空調機１０の冷房運転と暖房運転との切換時に、冷媒の流れ方向を切り換える。
【００５５】
冷房運転時には、四路切換弁３２は、吐出管９２と第１ガス冷媒管９３とを接続すると共に、吸入管９１と第２ガス冷媒管９５とを接続する（図１の四路切換弁３２中の実線参照）。暖房運転時には、四路切換弁３２は、吐出管９２と第２ガス冷媒管９５とを接続すると共に、吸入管９１と第１ガス冷媒管９３とを接続する（図１の四路切換弁３２中の破線参照）。
【００５６】
（２−２−４）室外熱交換器
室外熱交換器３３は、送風機室４１内に配置される。
【００５７】
室外熱交換器３３は、限定するものではないが、伝熱管と伝熱フィンとにより構成されたクロスフィン式のフィン・アンド・チューブ型熱交換器である。室外熱交換器３３では、室外空気と伝熱管を流れる冷媒との間で熱交換が行われる。室外熱交換器３３は、冷房運転時には凝縮器（放熱器）として機能し、暖房運転時には蒸発器（吸熱器）として機能する。
【００５８】
室外熱交換器３３は、ケーシング４０の背面部４４及び左側板４５に対向するように、Ｌ字状に成形されている（図２参照）。室外熱交換器３３は、底板４９の近傍から天板４８の近傍まで延びる。
【００５９】
（２−２−５）電動膨張弁
電動膨張弁３４は、機械室４２内に配置される。
【００６０】
電動膨張弁３４は、冷媒回路９０を流れる冷媒の圧力や流量の調節を行うために設けられた開度可変の電動膨張弁である。
【００６１】
（２−２−６）アキュムレータ
アキュムレータ３６は、機械室４２内に配置される。
【００６２】
アキュムレータ３６は、吸入管９１に設けられている。アキュムレータ３６は、気液二相の冷媒を気相の冷媒と液相の冷媒とに分離する。アキュムレータ３６が吸入管９１に設けられることで、圧縮機３１には主に気相の冷媒が供給される。
【００６３】
（２−２−７）室外ファン
室外ファン３９は、送風機室４１に配置されている。室外ファン３９は、室外ファン３９の運転時の空気の流れ方向において、室外熱交換器３３の下流側に設けられている。室外ファン３９は、室外熱交換器３３に対して外気を供給し、室外熱交換器３３における室外空気と冷媒との熱交換を促進する。
【００６４】
室外ファン３９は、ファンモータ３９ａと、プロペラ３９ｂと、を主に有している（図２参照）。
【００６５】
プロペラ３９ｂは、その一部が、ケーシング４０の前板４６の吹出口４６ａに取り付けられたベルマウス５２で囲まれた空間内に入り込むように配置されている（図２参照）。ファンモータ３９ａは、プロペラ３９ｂを駆動する。プロペラ３９ｂがファンモータ３９ａにより駆動されると、ケーシング４０の背面側及び左側面側から送風機室４１内に室外空気が取り込まれる。送風機室４１内に取り込まれた室外空気は、室外熱交換器３３を通過した後、吹出口４６ａから送風機室４１外へ排出される。
【００６６】
加湿装置６０の加湿運転中に、後述する吸着エリア６３ａにおいて後述する加湿ロータ６３が室外空気から水分を吸着する際、吸着エリア６３ａにおいて室外空気が加湿ロータ６３を貫通して流れる。加湿運転中に吸着エリア６３ａにおいて加湿ロータ６３を貫通して流れる空気の流れを、ここでは吸着空気流れと呼ぶ。本実施形態では、室外ファン３９が、加湿装置６０の加湿運転中に吸着エリア６３ａにおいて加湿ロータ６３に室外空気を供給する、つまり吸着空気流れを生じさせる給気ファンとしても機能する。具体的には、加湿装置６０の加湿運転中に、プロペラ３９ｂがファンモータ３９ａにより駆動されることで、吸込開口４６ｂから送風機室４１内に室外空気が取り込まれ、取り込まれた室外空気が吸着エリア６３ａにおいて加湿ロータ６３を通過する。
【００６７】
なお、本空調機１０では、室外ファン３９による加湿ロータ６３への給気が、加湿装置６０の加湿運転時だけではなく、室外ファン３９の運転時には常に行われる。つまり、本実施形態の加湿装置６０では、加湿運転時以外の所定期間（加湿運転が行われておらず、かつ、空調機１０の室外ファン３９が運転されている時）に、吸着エリア６３ａにおいて、加湿ロータ６３を貫通して空気が流れる。さらに言い換えると、本実施形態の加湿装置６０では、室外ファン３９が運転されると、加湿運転中であるか否かに係わらず、吸着エリア６３ａにおいて、加湿ロータ６３を貫通して空気が流れる。なお、加湿装置６０の加湿運転時であっても、加湿運転時以外の所定期間であっても、吸着エリア６３ａにおいて、加湿ロータ６３を同一方向に（前面側から後面側に向かって）空気が流れる。つまり吸着空気流れの方向と、加湿運転時以外の所定期間に吸着エリア６３ａにおいて加湿ロータ６３を通過して流れる空気の方向とは、同一である。室外ファン３９が運転されることで吸着エリア６３ａにおいて加湿ロータ６３を通過した空気は、前板４６に形成された吹出口４６ａから送風機室４１の外部へ排出される。
【００６８】
（２−２−８）液側閉鎖弁及びガス側閉鎖弁
液側閉鎖弁３７及びガス側閉鎖弁３８は、サービスポートを備えた三方弁である。
【００６９】
液側閉鎖弁３７には、室内ユニット２０と室外ユニット３０との間で冷媒をやりとりする液冷媒連絡配管１４と、液冷媒管９４とが接続される。空調機１０の運転時には、液側閉鎖弁３７開かれ、液冷媒連絡配管１４と液冷媒管９４とが連通する。
【００７０】
ガス側閉鎖弁３８には、室内ユニット２０と室外ユニット３０との間で冷媒をやりとりするガス冷媒連絡配管１６と、第２ガス冷媒管９５とが接続される。空調機１０の運転時には、ガス側閉鎖弁３８が開かれ、ガス冷媒連絡配管１６と第２ガス冷媒管９５とが連通する。
【００７１】
（２−２−９）加湿装置
加湿装置６０は、室外空気中の水分を吸着し、吸着した水分を脱着して加湿対象空間である室内に供給する。加湿装置６０は、図２に示すように、前板４６と背面部４４との間に、送風機室４１と機械室４２とに跨るように配置されている。
【００７２】
加湿装置６０は、図１〜図６に示すように、加湿ロータ６３、吸着用ダクト６８、加湿ヒータ７１、第１加湿用ダクト７３、加湿ファン７５、第２加湿用ダクト１８０、流路切換機構１４０、及びホコリ除去用経路１００を含む。
【００７３】
（２−２−９−１）加湿ロータ
加湿ロータ６３は、ロータの一例である。加湿ロータ６３は、空気中の水分を吸着する。また、加湿ロータ６３は、加熱されることで吸着した水分を放出する。
【００７４】
加湿ロータ６３は、図４及び図６に示すように円板状の部材である。加湿ロータ６３の材質は、限定するものではないが、例えばシリカゲルやゼオライト等の吸着剤である。加湿ロータ６３は、ハニカム構造を有する。シリカゲルやゼオライト等の吸着剤は、常温で空気から水分を吸着し、ヒータで加熱された空気等に曝されて温度上昇した時に水分を放出する。
【００７５】
加湿ロータ６３は、前板４６に形成された吸込開口４６ｂと対向する。また、加湿ロータ６３は、加湿ロータ６３と前板４６との間に配置される加湿ヒータ７１と対向する。加湿ロータ６３は、吸込開口４６ｂと対向する中心角が約２４０°の扇形領域で水分を吸着する。加湿ロータ６３が室外空気から水分を吸着する領域を吸着エリア６３ａと呼ぶ（図４参照）。また、加湿ロータ６３は、吸着エリア６３ａに隣接する、吸込開口４６ｂと対向しない中心角が約１２０°の扇形領域で水分を脱着する。加湿ロータ６３が吸着した水分を加湿ヒータ７１の熱によって脱着する領域を脱着エリア６３ｂと呼ぶ（図４参照）。加湿ロータ６３は、脱着エリア６３ｂにおいて加湿ヒータ７１と対向する。吸着エリア６３ａは、脱着エリア６３ｂよりベルマウス５２側に配置されている。
【００７６】
加湿ロータ６３は、加湿装置６０のロータ駆動用モータ６４（図３参照）によって駆動されて回転し、吸着エリア６３ａ及び脱着エリア６３ｂを周回する。つまり、加湿ロータ６３は、ある回転角度では吸着エリア６３ａに配置される部分が、別の回転角度では脱着エリア６３ｂに配置される。また、加湿ロータ６３は、ある回転角度では脱着エリア６３ｂに配置される部分が、別の回転角度では吸着エリア６３ａに配置される。なお、加湿ロータ６３の回転中心軸は、前板４６に形成された吸込開口４６ｂの扇形状の中心軸と同軸上に配置されている。
【００７７】
加湿ロータ６３を回転させるための機構について、図３及び図４を参照しながら説明する。加湿ロータ６３は、その周囲が円環状の枠体６５により囲まれている。枠体６５の外周面には、図４のようにギア６５ｔが設けられている。ギア６５ｔは、ロータ駆動用モータ６４が駆動されることで回転するピニオンギア６４ａと噛み合っている（図３参照）。ロータ駆動用モータ６４が駆動されることでピニオンギア６４ａが回転すると、枠体６５と共に加湿ロータ６３が回転する。
【００７８】
なお、空気が加湿ロータ６３を通過せずに枠体６５の外側を通過することを抑制するため、枠体６５の周囲は壁により囲まれている（図６参照）。
【００７９】
（２−２−９−２）吸着用ダクト
加湿装置６０は、図５のように、吸着エリア６３ａに外気を導くための吸着用ダクト６８を有する。吸着用ダクト６８は、前板４６の吸込開口４６ｂに向かって開口する空気流入口６８１を有する。空気流入口６８１の形状は、吸込開口４６ｂと同じ中心角が約２４０°の扇形状である。
【００８０】
吸込開口４６ｂから流入した室外空気は、空気流入口６８１から吸い込まれた後、吸着用ダクト６８内を流れて吸着エリア６３ａに到達する。吸着エリア６３ａでは、室外空気中の水分が加湿ロータ６３により吸着される。加湿ロータ６３を通過した空気は、吸着用ダクト６８の空気流出口６８３（図３参照）から排出される。空気流出口６８３は、室外ファン３９が回転する時に負圧になる空間、具体的にはベルマウス５２の上流側端部に隣接している。空気流出口６８３側の圧力が空気流入口６８１側の圧力より低くなる作用によって、空気が空気流入口６８１から吸い込まれる。
【００８１】
なお、図３に示すように、吸込開口４６ｂは、前板４６の吹出口４６ａの右斜め上側に、吹出口４６ａと隣接して設けられている。室外ファン３９によって前方へ押し出された空気は、ベルマウス５２に沿って進み吹出口４６ａから勢いよく吹き出されるので、吹出口４６ａから吹き出された空気は、吸込開口４６ｂからは吸い込まれにくい。そのため、加湿ロータ６３は、吸着エリア６３ａにおいて、より多くの水分を含んだ空気を取り込むことが可能である。より詳しく説明する。
【００８２】
加湿運転は、通常、暖房運転時に行われる。暖房運転時には、蒸発器（吸熱器）として機能する室外熱交換器３３を通過した空気は低温低湿になっている。吸込開口４６ｂから低湿の水分量が少ない空気が吸い込まれた場合、加湿ロータ６３が吸着できる水分量が低下する。しかし、ここでは、室外熱交換器３３を通過した空気は吸込開口４６ｂから吸い込まれないため、吸込開口４６ｂからは比較的多く水分を含んだ空気を取り込むことができる。
【００８３】
（２−２−９−３）加湿ヒータ
加湿ヒータ７１は、加湿ロータ６３を加熱するためのヒータである。加湿ロータ６３は、脱着エリア６３ｂにおいて加湿ヒータ７１の熱によって加熱されることで水分を放出（脱着）する。具体的には、加湿ヒータ７１は、脱着エリア６３ｂにおいて加湿ロータ６３から水分を放出させるために、脱着エリア６３ｂに送られる空気を加熱する。加熱された空気は、脱着エリア６３ｂを通過する時に加湿ロータ６３に水分を放出させて、高湿の空気となって加湿ファン７５に吸い込まれる。
【００８４】
（２−２−９−４）第１加湿用ダクト
第１加湿用ダクト７３は、空気を加湿ヒータ７１経由で脱着エリア６３ｂまで導き、さらに加湿ロータ６３を通過した空気を加湿ファン７５まで導く（図１参照）。
【００８５】
より具体的には、第１加湿用ダクト７３は、室外空気が加湿ロータ６３の脱着エリア６３ｂを背面側から前面側に通過するように、室外空気を加湿ヒータ７１まで導く。さらに、第１加湿用ダクト７３は、加湿ヒータ７１で加熱されて高温となり、加湿ロータ６３の脱着エリア６３ｂを前面側から背面側に通過した空気を加湿ファン７５まで導く。高温空気は、脱着エリア６３ｂにおいて加湿ロータ６３を通過する際に水分を脱着させ、高温高湿の空気となって加湿ファン７５に向う。なお、第１加湿用ダクト７３の空気の流れは、加湿ファン７５によって発生する。
【００８６】
（２−２−９−５）加湿ファン
加湿ファン７５は、機械室４２に配置されている。
【００８７】
加湿ファン７５は、第１加湿用ダクト７３を介して取り込んだ空気を送風する送風装置である。加湿ファン７５は、脱着エリア６３ｂにおいて加湿ロータ６３から脱着された水分を含む空気を室内ユニット２０に向かって送風する。また、加湿ファン７５は、第１加湿用ダクト７３を介して取り込んだ空気を、吸着エリア６３ａに向かって送風し、吸着エリア６３ａにおいて加湿ロータ６３に吹き付ける。加湿ファン７５から送られる空気の送風先（すなわち、空気が、室内ユニット２０に向かって送風されるか、加湿ロータ６３に向かって送風されるか）は、流路切換機構１４０により切り換えられる。
【００８８】
加湿ファン７５は、空気を所定の方向へ送り出す羽根車７５ａと、羽根車７５ａを駆動するファンモータ７５ｂとを主に有している（図１参照）。ファンモータ７５ｂの回転軸は、羽根車７５ａの回転軸に直結されている。加湿ファン７５は、羽根車７５ａの回転軸が水平方向となる姿勢で配置される。
【００８９】
羽根車７５ａはファンケーシング８１に囲まれている（図２参照）。ファンケーシング８１の出口は、第２加湿用ダクト１８０の入口と繋がっている（図５参照）。ファンモータ７５ｂは、外側をモータカバー８２で覆われている（図２参照）。
【００９０】
（２−２−９−６）第２加湿用ダクト
第２加湿用ダクト１８０は、加湿ファン７５から送風される空気を流路切換機構１４０まで導くダクトである（図１参照）。
【００９１】
（２−２−９−７）流路切換機構
流路切換機構１４０は、加湿ファン７５の送風方向における下流側に配置される。流路切換機構１４０は、加湿ファン７５が吹き出す空気の流れる流路を切り換える機構である。流路切換機構１４０は、加湿ファン７５が吹き出す空気の流れる流路を、室内ユニット２０に向かう流路と、加湿ロータ６３の吸着エリア６３ａに向かう流路と、の間で切り換える。言い換えると、流路切換機構１４０は、加湿ファン７５から送風される空気の流れ状態を、加湿ファン７５から送風される空気が加湿対象空間へと流れる第１状態と、加湿ファン７５から送風される空気が吸着エリア６３ａへと流れる第２状態との間で切り換える。
【００９２】
流路切換機構１４０には、第２加湿用ダクト１８０、給気ホース１８、及びホコリ除去用経路１００が接続されている。
【００９３】
流路切換機構１４０は、例えば特開２００９−２２９０５４号公報に開示されている空気流路切換部（ダンパ）のように、流路を開閉する開閉部材をモータで回転させることで、加湿ファン７５から第２加湿用ダクト１８０を介して供給される空気が、給気ホース１８に向かうように、あるいは、ホコリ除去用経路１００に向かうように、加湿ファン７５から送風される空気の流れ状態を切り換える。
【００９４】
また、さらに、流路切換機構１４０は、加湿ファン７５の停止時に、第２加湿用ダクト１８０が、給気ホース１８及びホコリ除去用経路１００のいずれとも連通しないように流路を閉塞することが可能に構成されてもよい。
【００９５】
（２−２−９−８）ホコリ除去用経路
ホコリ除去用経路１００は、加湿ファン７５が吹き出す空気を吸着エリア６３ａへと導き、吸着エリア６３ａにおいて加湿ロータ６３に空気を吹き付けるための空気の経路である。より詳しく説明する。
【００９６】
吸着エリア６３ａでは、室外ファン３９が運転され、加湿ロータ６３を前方側から後方側に通過して室外空気が流れる時に、加湿ロータ６３（特に前面側）にホコリが付着するおそれがある。特に、本加湿装置６０では、加湿運転時だけではなく、室外ファン３９の運転時には、吸着エリア６３ａにおいて加湿ロータ６３を前方側から後方側に通過して室外空気が流れるため（つまり通風時間が長いため）、ホコリが付着しやすい。ホコリ除去用経路１００は、この加湿ロータ６３に付着したホコリ（付着物）を除去するために、加湿ファン７５が吹き出す空気を吸着エリア６３ａへと導くための空気の経路である。
【００９７】
ホコリ除去用経路１００は、その一端が流路切換機構１４０に接続されている（図１参照）。ホコリ除去用経路１００の他端は、加湿ロータ６３の近傍で開口する。吸着エリア６３ａにおいて加湿ロータ６３へと空気を吹き付けるために設けられたホコリ除去用経路１００の開口１００ａは、加湿ロータ６３の背面側に設けられている（図６参照）。そのため、流路切換機構１４０が加湿ファン７５から送風される空気の流れ状態を第２状態に切り換えている時に、加湿ファン７５から送風される空気は、ホコリ除去用経路１００を介して、吸着エリア６３ａであって、吸着空気流れの流れ方向における加湿ロータ６３より下流側に供給される（図６参照）。吸着空気流れは、前述のように、加湿運転中に、吸着エリア６３ａにおいて加湿ロータ６３を貫通して流れる空気の流れのことである。
【００９８】
また、吸着エリア６３ａにおいて加湿ロータ６３へと空気を吹き付けるために設けられたホコリ除去用経路１００の開口１００ａは、加湿ロータ６３の背面と対向している（図６参照）。そのため、流路切換機構１４０が加湿ファン７５から送風される空気の流れ状態を第２状態に切り換えている時に、加湿ファン７５から送風される空気は、ホコリ除去用経路１００を介して、吸着エリア６３ａにおいて、吸着空気流れの流れ方向とは反対方向に（つまり背面側から前面側に）、加湿ロータ６３を貫通して流れる（図６参照）。
【００９９】
なお、ホコリ除去用経路１００は、加湿ロータ６３の背面に、加湿ロータ６３の背面に概ね垂直な方向（ここでは概ね水平な方向）に空気を吹き付けてもよい。また、他の態様では、ホコリ除去用経路１００は、加湿ロータ６３の背面に、加湿ロータ６３の背面に垂直な方向に対して傾いた方向に空気を吹き付けてもよい。
【０１００】
（２−２−１０）電装品ユニット
電装品ユニット５０は、電子部品を集約した制御基板である。電装品ユニット５０は、送風機室４１に位置している。
【０１０１】
電装品ユニット５０は、図示しないＣＰＵ及びメモリを有し、室外ユニット３０の各部の動作を制御する室外側制御部５１として機能する（図７参照）。室外側制御部５１は、加湿装置６０の制御部としても機能する。
【０１０２】
室外側制御部５１は、メモリに記憶されているプログラムをＣＰＵが実行することで室外ユニット３０の各部の動作や、加湿装置６０を制御する。室外側制御部５１は、室外ユニット３０が有する、圧縮機３１、四路切換弁３２、電動膨張弁３４、室外ファン３９等の機器と電気的に接続されている（図７参照）。また、室外側制御部５１は、加湿装置６０が有する、ロータ駆動用モータ６４、加湿ヒータ７１、ファンモータ７５ｂ、流路切換機構１４０（流路切換機構１４０が有する開閉部材の駆動用のモータ（図示せず））等の機器と電気的に接続されている（図７参照）。また、室外側制御部５１は、室外空気の温度を測定する室外温度センサ（図示せず）や、室外熱交換器３３に取り付けられた室外熱交換器温度センサ（図示せず）や、吐出管９２に設けられた吐出温度センサ（図示せず）や、第２加湿用ダクト１８０に配置される湿度センサ（図示せず）等と電気的に接続されている。さらに、室外側制御部５１は、室内ユニット２０の室内側制御部（図示せず）と通信可能に接続されており、室内側制御部と協働して、空調機１０の各部の動作を制御する。
【０１０３】
室外側制御部５１の機能のうち、特に加湿装置６０の加湿ロータ６３に付着したホコリ（付着物）の除去のための制御について説明する。
【０１０４】
室外側制御部５１は、加湿装置６０の加湿運転の開始前に、加湿ファン７５が運転され、流路切換機構１４０が加湿ファン７５から送風される空気の流れ状態を第２状態に切り換えるように、ファンモータ７５ｂ及び流路切換機構１４０が有する開閉部材の駆動用のモータ（図示せず）の動作を制御する。
【０１０５】
また、室外側制御部５１は、空調機１０の運転停止時（室外ファン３９の停止後）に、加湿ファン７５が運転され、流路切換機構１４０が加湿ファン７５から送風される空気の流れ状態を第２状態に切り換えるように、ファンモータ７５ｂ及び流路切換機構１４０が有する開閉部材の駆動用のモータ（図示せず）の動作を制御する。
【０１０６】
（３）空調機の動作
以下に、空調機１０の冷房運転時及び暖房運転時の動作について説明する。
【０１０７】
（３−１）冷房運転
冷房運転時には、室外側制御部５１は、吐出管９２と第１ガス冷媒管９３とが接続され、吸入管９１と第２ガス冷媒管９５とが接続されるように四路切換弁３２を制御する（図１の四路切換弁３２中の実線参照）。
【０１０８】
このような冷媒回路９０の状態で、室外側制御部５１により圧縮機３１及び室外ファン３９が運転され、室内側制御部（図示せず）により室内ファン２２が運転されると、以下の様にして空調対象空間である室内空間が冷房される。
【０１０９】
低圧のガス冷媒が、圧縮機３１に吸入されて圧縮されて高圧のガス冷媒となる。圧縮機３１から吐出された高圧のガス冷媒は、四路切換弁３２を経由して室外熱交換器３３に送られ、室外ファン３９によって供給される室外空気と熱交換を行って凝縮し、高圧の液冷媒となる。高圧の液冷媒は、電動膨張弁３４で減圧された後、液側閉鎖弁３７及び液冷媒連絡配管１４を経由して、室内ユニット２０に送られる。なお、室外側制御部５１は、電動膨張弁３４の開度を、例えば、室内熱交換器２１の冷媒出口における冷媒の過熱度が所定の目標値になるように調節する。室内ユニット２０に送られた低圧の冷媒は、気液二相状態の冷媒となって室内熱交換器２１に入り、室内熱交換器２１において室内空気と熱交換を行って蒸発して低圧のガス冷媒となる。低圧のガス冷媒は、ガス冷媒連絡配管１６を経由して室外ユニット３０に送られ、ガス側閉鎖弁３８及び四路切換弁３２を経由して、アキュムレータ３６に流入する。アキュムレータ３６に流入した低圧のガス冷媒は、再び、圧縮機３１に吸入される。
【０１１０】
このようにして、空調機１０は、室外熱交換器３３を凝縮器（放熱器）として機能させ、室内熱交換器２１を蒸発器（吸熱器）として機能させる冷房運転を行うことができる。
【０１１１】
（３−２）暖房運転
暖房運転時には、室外側制御部５１は、吐出管９２と第２ガス冷媒管９５とが接続され、吸入管９１と第１ガス冷媒管９３とが接続されるように四路切換弁３２を制御する（図１の四路切換弁３２中の点線参照）。
【０１１２】
このような冷媒回路９０の状態で、室外側制御部５１により圧縮機３１及び室外ファン３９が運転され、室内側制御部（図示せず）により室内ファン２２が運転されると、以下の様にして空調対象空間である室内空間が暖房される。
【０１１３】
低圧のガス冷媒が、圧縮機３１に吸入されて圧縮されて高圧のガス冷媒となる。圧縮機３１から吐出された高圧のガス冷媒は、四路切換弁３２、ガス側閉鎖弁３８及びガス冷媒連絡配管１６を経由して、室内ユニット２０に送られる。室内ユニット２０に送られた高圧のガス冷媒は、室内熱交換器２１において、室内空気と熱交換を行って凝縮して高圧の液冷媒となり、液冷媒連絡配管１４を経由して室外ユニット３０に送られる。液冷媒は、液側閉鎖弁３７を通過して、電動膨張弁３４に入る。液冷媒は、電動膨張弁３４で減圧された後に、室外熱交換器３３に流入する。なお、室外側制御部５１は、電動膨張弁３４の開度を、例えば、室外熱交換器３３に流入する冷媒が室外熱交換器３３において蒸発することが可能な圧力まで減圧するように調節する。室外熱交換器３３に流入した低圧の気液二相状態の冷媒は、室外ファン３９によって供給される室外空気と熱交換を行って蒸発して低圧のガス冷媒となり、四路切換弁３２を経由してアキュムレータ３６に流入する。アキュムレータ３６に流入した低圧のガス冷媒は、再び、圧縮機３１に吸入される。
【０１１４】
このようにして、空調機１０は、室外熱交換器３３を蒸発器（吸熱器）として機能させ、室内熱交換器２１を凝縮器（放熱器）として機能させる暖房運転を行うことができる。
【０１１５】
（４）加湿装置の動作
以下に、加湿装置６０の加湿運転時の動作と、加湿ロータ６３に付着したホコリ（付着物）の除去のための処理（ホコリ除去処理）について説明する。なお、ホコリ除去処置は、空調機１０の動作とも関連しているため、ホコリ除去処理の説明の中で、空調機１０の動作についても一部触れる。
【０１１６】
（４−１）加湿運転
ここでは、加湿運転は、空調機１０の暖房運転と同時に行われる。
【０１１７】
図２、図３及び図５に示すように、吸着用ダクト６８の空気流入口６８１（図５参照）は前板４６の吸込開口４６ｂ（図３参照）に向かって開口し、吸着用ダクト６８の空気流出口６８３（図２参照）は室外ファン３９が回転する時に負圧となるベルマウス５２の上流側端部に隣接している。空調機１０の暖房運転時に室外ファン３９が運転されると、空気流出口６８３側の圧力が空気流入口６８１側の圧力より低くなり、その作用によって室外空気が空気流入口６８１から吸い込まれ、空気流出口６８３へと流れる。
【０１１８】
加湿運転中には、室外側制御部５１は、加湿ロータ６３を、例えば、ロータ駆動用モータ６４によって所定の第１速度で連続的に回転させる。なお、加湿運転中の加湿ロータ６３の動作は、一例であって、このような動作に限定されるものではない。吸着エリア６３ａにおいて、空気流入口６８１から流れ込む室外空気の水分を吸着した加湿ロータ６３は、加湿ロータ６３の回転に伴って脱着エリア６３ｂへと運ばれ、加湿ロータ６３を加熱する加湿ヒータ７１と対向する位置に移動する。
【０１１９】
また、加湿運転中には、室外側制御部５１は、加湿ファン７５を駆動する。加湿ファン７５が駆動されると、室外空気が、第１加湿用ダクト７３を通過して加湿ヒータ７１の周囲へと送られ加熱される。加湿ヒータ７１により加熱された空気は、加湿ロータ６３の脱着エリア６３ｂを通過して加湿ファン７５に向かって流れる。この時、加湿ロータ６３の加熱された空気に曝された部分から、水分が放出（脱着）される。
【０１２０】
加湿運転中には、室外側制御部５１は、第２加湿用ダクト１８０と給気ホース１８とが連通し、加湿ファン７５から吹出した空気が第２加湿用ダクト１８０を通過して給気ホース１８へと流れるように、つまり加湿ファン７５から送風される空気の流れ状態が第１状態に切り換えられるように、流路切換機構１４０を制御する（流路切換機構１４０が有する開閉部材を動作させるモータ（図示せず）の動作を制御する）。そのため、加湿ファン７５から送り出される水分を比較的多く含んだ空気は、第２加湿用ダクト１８０を介して給気ホース１８へと吹き出され、室内ユニット２０へと導かれる。
【０１２１】
（４−２）ホコリ除去処理
加湿装置６０において行われる、加湿ロータ６３に付着したホコリ（付着物）の除去のための処理について以下に説明する。ここでは、加湿装置６０が加湿運転を行われない状態で空調機１０が運転される場合と、加湿装置６０が加湿運転を行っている状態で空調機１０が運転される場合とに分けて、加湿装置６０のホコリ除去処理を説明する。
【０１２２】
（ａ）加湿装置が加湿運転を実行しない状態で空調機が運転される場合
加湿装置６０が加湿運転を行われない状態で空調機１０が運転される場合の、加湿装置６０のホコリ除去処理について、図８のフローチャートを参照しながら説明する。なお、特に以下で説明するステップＳ３〜ステップＳ８の処理が、空調機１０の停止後に行われる、加湿ロータ６３のホコリ除去処理（空調機運転停止後ホコリ除去処理）である。
【０１２３】
まず、ステップＳ１では、図示しないリモコンからの空調機１０のユーザの指令等に応じて、室外側制御部５１及び室内ユニット２０の室内側制御部が協働して空調機１０の運転（冷房運転や暖房運転）を開始する。
【０１２４】
次に、ステップＳ２では、図示しないリモコンを介した空調機１０のユーザの指令等に応じて、室外側制御部５１及び室内ユニット２０の室内側制御部が協働して空調機１０の運転を停止する。その結果、室外ファン３９の運転が停止され、吸着エリア６３ａにおける、室外ファン３９による加湿ロータ６３への空気の供給は停止される。
【０１２５】
次に、ステップＳ３では、室外側制御部５１は、流路切換機構１４０が、加湿ファン７５から送風される空気の流れ状態（後述するステップＳ４で加湿ファン７５が運転された時の、加湿ファン７５から送風される空気の流れ状態）を、加湿ファン７５から送風される空気が吸着エリア６３ａへと流れる第２状態に切り換えるよう、流路切換機構１４０を制御する。具体的には、室外側制御部５１は、流路切換機構１４０が加湿ファン７５から送風される空気の流れ状態を第２状態に切り換えるよう、流路切換機構１４０の開閉部材を駆動するモータ（図示せず）の動作を制御する。なお、ここで、流路切換機構１４０が加湿ファン７５から送風される空気の流れ状態を第２状態に切り換えるとは、流路切換機構１４０が加湿ファン７５から送風される空気の流れ状態を既に第２状態に切り換えている場合に、この状態を維持する場合を含む。
【０１２６】
次に、ステップＳ４では、室外側制御部５１は、加湿ファン７５の運転を開始する。具体的には、室外側制御部５１は、ファンモータ７５ｂの運転を開始する。
【０１２７】
ステップＳ３及びステップＳ４が実行されることで、吸着エリア６３ａにおいて、ホコリ除去用経路１００の開口１００ａから加湿ロータ６３に空気が吹き付けられる。ステップＳ３及びステップＳ４の実行後、ステップＳ５へと進む。
【０１２８】
ステップＳ５では、室外側制御部５１は、加湿ロータ６３を回転させる。具体的には、室外側制御部５１は、ロータ駆動用モータ６４を駆動して、加湿ロータ６３を回転させる。つまり、ここでは、流路切換機構１４０が加湿ファン７５から送風される空気の流れ状態を第２状態に切り換える時に、加湿ロータ６３は吸着エリア６３ａ及び脱着エリア６３ｂを周回する。
【０１２９】
なお、ステップＳ５における加湿ロータ６３の動作は、加湿運転中の加湿ロータ６３の動作と同一でなくてもよい。例えば、加湿運転中には、加湿ロータ６３は第１速度で連続的に回転する。これに対し、ステップＳ５では、加湿ロータ６３は、第１速度より遅い第２速度で連続的に回転してもよい。また、ステップＳ５では、加湿ロータ６３は、間欠的に回転してもよい。ステップＳ５において加湿ロータ６３をどのように回転させるかは、ホコリ除去用経路１００が吹き出す空気により、加湿ロータ６３の全体について付着したホコリを除去することができるように適宜決定されればよい。
【０１３０】
次に、ステップＳ６では、ステップＳ５で加湿ロータ６３の回転を開始してから、加湿ロータ６３が所定角度回転したかを判定する。所定角度は、例えば３６０度である。ただし、所定角度は、３６０度に限定されるものではなく、３６０度より大きくても、３６０度より小さくてもよい。例えば、所定角度は、約２４０度（扇形状の吸着エリア６３ａの中心角度と同一の角度）であってもよい。ステップＳ６の判定処理は、加湿ロータ６３が、ステップＳ５で回転を開始してから所定角度回転したと判定されるまで繰り返される。
【０１３１】
なお、ここでは、加湿ロータ６３の回転角度を用いて判定が行われるが、回転角度に代えて、加湿ロータ６３が回転を開始してからの時間が所定時間経過したか否かに基づいた判定が行われてもよい。
【０１３２】
ステップＳ７では、室外側制御部５１は、加湿ロータ６３の回転を停止させる。具体的には、室外側制御部５１は、ロータ駆動用モータ６４を停止し、加湿ロータ６３の回転を停止させる。
【０１３３】
次に、ステップＳ８では、室外側制御部５１は、加湿ファン７５の運転を停止する。具体的には、室外側制御部５１は、ファンモータ７５ｂの運転を停止する。
【０１３４】
なお、ステップＳ７及びステップＳ８の順序は逆であってもよく、ステップＳ７及びステップＳ８は同時に実行されてもよい。
【０１３５】
（ｂ）加湿装置が加湿運転を実行している状態で空調機が運転される場合
加湿装置６０が加湿運転を行っている状態で空調機１０が運転される場合の加湿装置６０のホコリ除去処理について、図９のフローチャートを参照しながら説明する。なお、特に以下で説明するステップＳ１１〜ステップＳ１６の処理が、加湿運転の開始前に行われる、加湿ロータ６３のホコリ除去処理（加湿運転開始前ホコリ除去処理）である。以下で説明するステップＳ２１〜ステップＳ２５の処理が、空調機１０の停止後に行われる、加湿ロータ６３のホコリ除去処理（空調機運転停止後ホコリ除去処理）である。
【０１３６】
図示しないリモコンを介して、空調機１０のユーザから、加湿装置６０の加湿運転と空調機１０の運転（ここでは暖房運転）との同時実行が要求されると、加湿装置６０の加湿運転前（空調機１０の運転開始前）に、ステップＳ１１〜ステップＳ１６の加湿運転開始前ホコリ除去処理が実行される。
【０１３７】
まず、ステップＳ１１では、室外側制御部５１は、流路切換機構１４０が、加湿ファン７５から送風される空気の流れ状態（後述するステップＳ１２で加湿ファン７５が運転された時の、加湿ファン７５から送風される空気の流れ状態）を、加湿ファン７５から送風される空気が吸着エリア６３ａへと流れる第２状態に切り換えるよう、流路切換機構１４０を制御する。具体的には、室外側制御部５１は、流路切換機構１４０が加湿ファン７５から送風される空気の流れ状態を第２状態に切り換えるよう、流路切換機構１４０の開閉部材を駆動するモータ（図示せず）の動作を制御する。なお、ここで、流路切換機構１４０が加湿ファン７５から送風される空気の流れ状態を第２状態に切り換えるとは、流路切換機構１４０が加湿ファン７５から送風される空気の流れ状態を既に第２状態に切り換えている場合に、この状態を維持する場合を含む。
【０１３８】
次に、ステップＳ１２では、室外側制御部５１は、加湿ファン７５の運転を開始する。具体的には、室外側制御部５１は、ファンモータ７５ｂの運転を開始する。
【０１３９】
ステップＳ１１及びステップＳ１２が実行されることで、吸着エリア６３ａにおいて、ホコリ除去用経路１００の開口１００ａから加湿ロータ６３に空気が吹き付けられる。ステップＳ１１及びステップＳ１２の実行後、ステップＳ１３へと進む。
【０１４０】
ステップＳ１３では、室外側制御部５１は、加湿ロータ６３を回転させる。具体的には、室外側制御部５１は、ロータ駆動用モータ６４を駆動して、加湿ロータ６３を回転させる。つまり、ここでは、流路切換機構１４０が加湿ファン７５から送風される空気の流れ状態を第２状態に切り換える時に、加湿ロータ６３は吸着エリア６３ａ及び脱着エリア６３ｂを周回する。ステップＳ１３における加湿ロータ６３の回転動作は、前述したステップＳ５における加湿ロータ６３の回転動作と同様であるので、ここでは説明を省略する。
【０１４１】
次に、ステップＳ１４では、ステップＳ１３で加湿ロータ６３の回転を開始してから、加湿ロータ６３が所定角度回転したかを判定する。ステップＳ１４の処理は、ステップＳ６の処理と同様であるので、ここでは説明を省略する。
【０１４２】
次に、ステップＳ１５では、室外側制御部５１は、加湿ロータ６３の回転を停止させる。具体的には、室外側制御部５１は、ロータ駆動用モータ６４を停止し、加湿ロータ６３の回転を停止させる。
【０１４３】
次に、ステップＳ１６では、室外側制御部５１は、加湿ファン７５の運転を停止する。具体的には、室外側制御部５１は、ファンモータ７５ｂの運転を停止する。
【０１４４】
なお、これらのステップＳ１５及びステップＳ１６の順序は逆であってもよく、ステップＳ１５及びステップＳ１６は同時に実行されてもよい。
【０１４５】
以上で、加湿運転開始前ホコリ除去処理が終了する。
【０１４６】
次に、ステップＳ１７では、室外側制御部５１及び室内ユニット２０の室内側制御部が協働して空調機１０の運転（ここでは暖房運転）を開始する。
【０１４７】
次に、ステップＳ１８では、室外側制御部５１が、流路切換機構１４０が、加湿ファン７５から送風される空気の流れ状態（後述するステップＳ１９で加湿ファン７５が運転された時の、加湿ファン７５から送風される空気の流れ状態）を、加湿ファン７５から送風される空気が加湿対象空間へと流れる第１状態に切り換えるよう、流路切換機構１４０を制御する。具体的には、室外側制御部５１は、流路切換機構１４０が加湿ファン７５から送風される空気の流れ状態を第１状態に切り換えるよう、流路切換機構１４０の開閉部材を駆動するモータ（図示せず）の動作を制御する。
【０１４８】
次に、ステップＳ１９では、室外側制御部５１は、加湿装置６０が加湿運転を開始するよう、加湿装置６０の各構成の動作を制御する。具体的には、室外側制御部５１は、ファンモータ７５ｂを起動し、加湿ファン７５の運転を開始する。また、室外側制御部５１は、加湿ヒータ７１をＯＮにする。また、室外側制御部５１は、ロータ駆動用モータ６４を駆動して、加湿ロータ６３を第１速度で回転させる。
【０１４９】
次に、ステップＳ２０では、図示しないリモコンを介した空調機１０のユーザの指令等に応じて、室外側制御部５１及び室内ユニット２０の室内側制御部が協働して空調機１０の運転を停止する。その結果、室外ファン３９の運転が停止され、吸着エリア６３ａにおける、室外ファン３９による加湿ロータ６３への空気の供給は停止される。
【０１５０】
次に、ステップＳ２１では、室外側制御部５１は、加湿ヒータ７１をＯＦＦにする。
【０１５１】
次に、ステップＳ２２では、室外側制御部５１は、流路切換機構１４０が、加湿ファン７５から送風される空気の流れ状態を、加湿ファン７５から送風される空気が吸着エリア６３ａへと流れる第２状態に切り換えるよう、流路切換機構１４０を制御する。具体的には、室外側制御部５１は、流路切換機構１４０が加湿ファン７５から送風される空気の流れ状態を第２状態に切り換えるよう、流路切換機構１４０の開閉部材を駆動するモータ（図示せず）の動作を制御する。
【０１５２】
その後のステップＳ２３〜ステップＳ２５の処理は、既に説明したステップＳ６〜ステップＳ８の処理と同様であるので説明は省略する。
【０１５３】
以上で、空調機運転停止後ホコリ除去処理が終了する。
【０１５４】
なお、加湿装置６０が加湿運転を行っていない状態で空調機１０の運転が開始され、その後、空調機１０の運転中に加湿装置６０の加湿運転が開始される場合には、図９のフローチャートのステップＳ１８以降の処理が実行されればよい。逆に、加湿装置６０が加湿運転を行っている状態で空調機１０の運転が開始され、その後に加湿装置６０の加湿運転だけを停止した場合には、空調機１０の停止時に、図８のフローチャートのステップＳ３〜ステップＳ８の処理が実行されればよい。
【０１５５】
（５）特徴
（５−１）
上記実施形態の加湿装置６０は、ヒータの一例としての加湿ヒータ７１と、ロータの一例としての加湿ロータ６３と、ファンの一例としての加湿ファン７５と、流路切換機構１４０と、を備える。加湿ロータ６３は、吸着エリア６３ａ及び脱着エリア６３ｂを周回する。加湿ロータ６３は、吸着エリア６３ａにおいて空気から水分を吸着し、脱着エリア６３ｂにおいて加湿ヒータ７１の熱によって水分を脱着する。加湿ファン７５は、脱着エリア６３ｂにおいて加湿ロータ６３から脱着された水分を含む空気を送風する。流路切換機構１４０は、加湿ファン７５の送風方向における下流側に配置され、加湿ファン７５から送風される空気の流れ状態を、少なくとも、第１状態と、第２状態と、の間で切り換える。第１状態では、加湿ファン７５から送風される空気が加湿対象空間へと流れる。第２状態では、加湿ファン７５から送風される空気が吸着エリア６３ａへと流れる。
【０１５６】
上記実施形態の加湿装置６０では、水分を含む空気を加湿対象空間へと送るために用いられる加湿ファン７５が発生させる気流を、加湿ロータ６３の吸着エリア６３ａに送ることができる。そのため、吸着エリア６３ａにおいて加湿ロータ６３に付着したホコリ等の汚れ（付着物）を、加湿用の加湿ファン７５の気流を利用して除去することができ、加湿装置６０の効率低下を抑制可能である。
【０１５７】
（５−２）
上記実施形態の加湿装置６０では、加湿運転中に吸着エリア６３ａにおいて加湿ロータ６３が空気から水分を吸着する際、吸着エリア６３ａにおいて、吸着空気流れが加湿ロータ６３を貫通して流れる。加湿ファン７５から送風される空気の流れ状態の第２状態において、加湿ファン７５から送風される空気は、吸着空気流れの流れ方向における加湿ロータ６３より下流側に供給される。
【０１５８】
上記実施形態の加湿装置６０では、吸着エリア６３ａにおいて、吸着空気流れ（加湿運転中に吸着エリア６３ａにおいて加湿ロータ６３を流れる空気の流れ）とは反対向きの空気の流れを生じさせることができる。そのため、加湿運転中に加湿ロータ６３に付着したホコリ等の汚れを加湿ロータ６３から除去することが容易である。
【０１５９】
（５−３）
上記実施形態の加湿装置６０では、加湿運転時以外の所定期間に、吸着エリア６３ａにおいて、吸着空気流れと同一方向に加湿ロータ６３を貫通して空気が流れる。具体的には、上記実施形態の加湿装置６０では、加湿運転中以外であっても、空調機１０の室外ファン３９の運転時には、吸着エリア６３ａにおいて、吸着空気流れと同一方向に加湿ロータ６３を貫通して空気が流れる。
【０１６０】
上記実施形態の加湿装置６０では、吸着エリア６３ａにおいて、加湿運転中以外にも加湿運転中と同一方向に加湿ロータ６３を貫通して空気が流れるため、加湿ロータ６３にホコリ等の汚れが付着しやすい。しかし、ここでは、加湿用の加湿ファン７５の気流を利用して加湿ロータ６３に付着したホコリ等の汚れ除去することができるため、加湿装置６０の効率低下を抑制することができる。
【０１６１】
（５−４）
上記実施形態の加湿装置６０では、加湿運転の開始前に、加湿ファン７５が運転され、流路切換機構１４０が加湿ファン７５から送風される空気の流れ状態を第２状態に切り換える。
【０１６２】
なお、ここでは、加湿運転の開始前に流路切換機構１４０が加湿ファン７５から送風される空気の流れ状態を第２状態に切り換えるとは、既に加湿ファン７５から送風される空気の流れ状態が第２状態に切り換えられている時に、この状態を維持する場合を含む。
【０１６３】
上記実施形態の加湿装置６０では、加湿運転の開始前に加湿ロータ６３に付着したホコリ等の汚れを加湿用の加湿ファン７５の気流を利用して除去できる。そのため、加湿装置６０を効率よく運転することが容易である。
【０１６４】
（５−５）
上記実施形態の加湿装置６０は、空調機１０の室外ユニット３０に搭載される。室外ユニット３０は、室外ファン３９及び室外熱交換器３３を有する。室外ファン３９が運転されると、加湿運転中か否かに係わらず、吸着エリア６３ａにおいて、加湿ロータ６３を貫通して空気が流れる。室外ファン３９の停止後に、加湿ファン７５が運転され、流路切換機構１４０が加湿ファン７５から送風される空気の流れ状態を第２状態に切り換える。
【０１６５】
なお、ここで、室外ファン３９の停止後に加湿ファン７５が運転されるとは、既に加湿ファン７５が運転されている時に、この状態を維持する場合を含む。また、ここで、室外ファン３９の停止後に流路切換機構１４０が加湿ファン７５から送風される空気の流れ状態を第２状態に切り換えるとは、既に加湿ファン７５から送風される空気の流れ状態が第２状態に切り換えられている時に、この状態を維持する場合を含む。
【０１６６】
上記実施形態の加湿装置６０では、吸着エリア６３ａにおいて加湿ロータ６３にホコリ等の汚れが付着するおそれのある状況が発生した後に、加湿用の加湿ファン７５の気流を利用して加湿ロータ６３に付着したホコリ等の汚れを除去できる。そのため、加湿装置６０を効率よく運転することが容易である。
【０１６７】
（５−６）
上記実施形態の加湿装置６０では、流路切換機構１４０が加湿ファン７５から送風される空気の流れ状態を第２状態に切り換える時に、加湿ロータ６３は吸着エリア６３ａ及び脱着エリア６３ｂを周回する。
【０１６８】
上記実施形態の加湿装置６０では、加湿ロータ６３が周回している状態で加湿ファン７５から吸着エリア６３ａに空気が流れるため、加湿ロータ６３に付着しているホコリ等の汚れを取り残し無く除去することが容易である。
【０１６９】
（６）変形例
上記実施形態の変形例を以下に示す。なお、変形例は、互いに矛盾しない範囲で適宜組み合わされてもよい。
【０１７０】
（６−１）変形例Ａ
上記実施形態では、加湿装置６０は、空調機１０の室外ユニット３０に搭載され、空調機１０の一部であるかのように動作する。
【０１７１】
しかし、加湿装置の使用の態様は、上記実施形態の態様に限定されるものではなく、加湿装置は、空調機とは独立した装置であってもよい。例えば、加湿装置は、加湿装置の各構成の動作を制御する専用の制御部を有してもよい。また、加湿装置は、（空調機の室外ユニットに搭載されるのではなく）単独で設置される装置であってもよい。なお、加湿装置が空調機とは独立した装置であって、空調機の室外ファンによる加湿ロータに対する給気が行われない場合には、加湿装置は、吸着エリアにおいて加湿ロータに空気を供給するためのファンを有することが好ましい。
【０１７２】
なお、加湿装置が空調機と独立した装置である場合には、図９のフローチャートにおける、ステップＳ１１〜ステップＳ１４の処理が、加湿運転開始前ホコリ除去処理として実行された後に、加湿運転が開始されるよう構成されることが好ましい。また、加湿運転の停止時に、図９のフローチャートにおける、ステップＳ２１〜ステップＳ２５の処理が、加湿運転停止後ホコリ除去処理として実行されることが好ましい。
【０１７３】
（６−２）変形例Ｂ
上記実施形態では、加湿ファン７５からの空気が吹き出すホコリ除去用経路１００の開口１００ａは、加湿ロータ６３の背面側に設けられている。
【０１７４】
しかし、このような構成に限定されるものではなく、加湿ファン７５からの空気が吹き出すホコリ除去用経路の開口は、加湿ロータ６３の前面側に設けられていてもよい。言い換えれば、流路切換機構１４０が加湿ファン７５から送風される空気の流れ状態を第２状態に切り換えている時に、加湿ファン７５から送風される空気は、ホコリ除去用経路を介して、吸着エリア６３ａであって、吸着空気流れの流れ方向における加湿ロータ６３より上流側に供給されてもよい。この場合には、加湿ファン７５から加湿ロータ６３に向けて送風される空気は、加湿ロータ６３の前面に、加湿ロータ６３の前面に垂直な方向とは傾いた方向（例えば、加湿ロータ６３の前面に平行に近い方向）から吹き付けられることが好ましい。このように構成される場合にも、ホコリ除去用経路１００から吹き出される空気により、加湿ロータ６３の前面に付着したホコリを、加湿ロータ６３の前面から剥離させるように除去することが可能である。
【０１７５】
（６−３）変形例Ｃ
上記実施形態の加湿装置６０では、加湿ロータ６３は、空気の通過面が鉛直面であって、水平な回転軸周りを回転するよう構成されている。ただし、加湿装置６０の構造は、上記実施形態の構造に限定されるものではない。例えば、加湿ロータは、空気の通過面が水平面であって、鉛直方向に延びる回転軸周りを回転するよう構成されてもよい。また、例えば、加湿ロータは、空気の通過面が鉛直面又は水平面に対して傾いており、鉛直方向及び水平方向に対して傾いた方向に延びる回転軸周りを回転するよう構成されていてもよい。
【０１７６】
（６−４）変形例Ｄ
上記実施形態の加湿装置６０では、加湿装置６０の加湿運転と空調機１０の運転とが同時に実行される際、加湿装置６０の加湿運転前（空調機１０が運転開始前）に加湿ロータ６３の加湿運転開始前ホコリ除去処理（図９を用いて説明したステップＳ１１〜ステップＳ１６の処理）が実行される。
【０１７７】
しかし、これに限定されるものではなく、加湿運転開始前ホコリ除去処理は省略されてもよい。この場合にも、空調機１０の運転停止時には、空調機停止時ホコリ除去処理（図８を用いて説明したステップＳ３〜ステップＳ８の処理、及び、図９を用いて説明したステップＳ２１〜ステップＳ２５の処理）が行われているため、加湿ロータ６３へのホコリの付着を抑制することができる。
【０１７８】
また、逆に、空調機停止時ホコリ除去処理（図８を用いて説明したステップＳ３〜ステップＳ８の処理、及び、図９を用いて説明したステップＳ２１〜ステップＳ２５の処理）は省略され、加湿運転開始前ホコリ除去処理（図９を用いて説明したステップＳ１１〜ステップＳ１６の処理）だけが実行されもよい。
【０１７９】
（６−５）変形例Ｅ        
上記実施形態の加湿装置６０では、空調機１０の運転停止時にホコリ除去処理（空調機停止時ホコリ除去処理）が実行されているが、ホコリ除去処理のタイミングはこれに限定されるものではない。例えば、加湿装置６０では、空調機１０の運転停止時か否かに係わらず、室外ファン３９の停止時にホコリ除去処理が実行されてもよい。
【０１８０】
（６−６）変形例Ｆ
上記実施形態の加湿装置６０では、加湿ヒータ７１で加熱された空気が、脱着エリア６３ｂにおいて加湿ロータ６３を通過し、その後、加湿ファン７５に吸い込まれるが、加湿装置６０の構造はこのような構造に限定されるものではない。
【０１８１】
例えば、他の形態の加湿装置では、加湿ファンが吹き出す空気が、加湿ヒータで加熱され、加湿ロータを通過するような構造が採用されてもよい。このような構造が採用される場合、加湿ファンから送風される空気の流れ状態を切り換える流路切換機構は、空気の流れ方向において、加湿ファンと加湿ヒータとの間に配置されてもよい。
【０１８２】
（６−７）変形例Ｇ
上記実施形態では、加湿装置６０の加湿運転は、空調機１０の暖房運転と同時に行われるがこれに限定されるものではない。加湿装置６０の加湿運転は、空調機１０の暖房運転とは独立して行われてもよい。例えば、空調機１０において圧縮機３１が運転されていない状態で室外ファン３９が運転され、加湿装置６０の加湿運転が実行されてもよい。
【０１８３】
加湿運転が単独で行われる場合、図９のフローチャートにおける、ステップＳ１１〜ステップＳ１４の処理が、加湿運転開始前ホコリ除去処理として実行された後に、加湿装置６０の加湿運転が実行されるよう構成されることが好ましい。
【産業上の利用可能性】
【０１８４】
本発明は、吸着エリア及び脱着エリアを周回し、吸着エリアにおいて空気から水分を吸着し、脱着エリアにおいて水分を脱着するロータを備えた加湿装置に広く適用でき有用である。
【符号の説明】
【０１８５】
１０      空調機
３０      室外ユニット
３３      室外熱交換器（熱交換器）
３９      室外ファン
６０      加湿装置
６３      加湿ロータ（ロータ）
６３ａ    吸着エリア
６３ｂ    脱着エリア
７１      加湿ヒータ（ヒータ）
７５      加湿ファン（ファン）
１４０    流路切換機構
【先行技術文献】
【特許文献】
【０１８６】
【特許文献１】特開２０１６−１１８３１２号公報
【図１】
2018087650.tif 000003
【図２】
2018087650.tif 000004
【図３】
2018087650.tif 000005
【図４】
2018087650.tif 000006
【図５】
2018087650.tif 000007
【図６】
2018087650.tif 000008
【図７】
2018087650.tif 000009
【図８】
2018087650.tif 000010
【図９】
2018087650.tif 000011